(57)【特許請求の範囲】
【請求項１】
撮像素子の前段の、中心光束が光軸と略平行となる光束域に配置される、該光軸に対して略直交する平面を少なくとも１つ有する光学部材を備えた撮像光学系において、この光学部材の少なくとも１つの前記平面にこの光学部材と光学的に同等の硝材を用いたゴースト防止部材が密接され該光学部材と該ゴースト防止部材とで密接体が構成され、該ゴースト防止部材は一方の面が前記密接面とされ他方の面が曲面とされていることを特徴とする撮像光学系。
【請求項２】
前記ゴースト防止部材が下記条件式（１）を満足するように構成されたことを特徴とする請求項１記載の撮像光学系。
７＜｜Ｒ｜／ｆｍｒ＜20 ……（１）
ここで、
ｆｍｒ：密接体より像側に位置するレンズ全体の焦点距離
Ｒ：ゴースト防止部材のレンズ面の曲率半径
【請求項３】
前記ゴースト防止部材が前記光学部材に接合されていることを特徴とする請求項１または２記載の撮像光学系。
【請求項４】
前記ゴースト防止部材が下記条件式（２）を満足するように構成されたことを特徴とする請求項３記載の撮像光学系。
1.5＜ｎｄ＜1.6 ……（２）
ここで、
ｎｄ：ゴースト防止部材のｄ線における屈折率
【請求項５】
前記光学部材の両面が光軸に対して略直交する平面とされ、該両平面に各々前記ゴースト防止部材が密接されていることを特徴とする請求項１〜４のうちいずれか１項記載の撮像光学系。
【請求項６】
前記光学部材の前記両平面に、他方の面が曲率半径の大きなレンズ面とされた前記ゴースト防止部材が各々密接され、これらの両ゴースト防止部材および前記光学部材からなる前記密接体の全体の屈折力が略ゼロになるように前記両ゴースト防止部材のレンズ面の曲率半径が設定されていることを特徴とする請求項５記載の撮像光学系。
【請求項７】
前記光学部材がハーフプリズムとされ、このハーフプリズムにより分割される光束の入射側平面および複数の射出側平面に、各々前記ゴースト防止部材が密接されていることを特徴とする請求項５または６記載の撮像光学系。
【発明の詳細な説明】
【０００１】
【発明の属する技術分野】
本発明は、中心光束が光軸と略平行となる光束域に配置される、光軸に対して略直交する平面を有する光学部材を撮像素子の前段に備えた撮像光学系に関し、特に、表面反射率が比較的高い撮像素子を使用するビデオカメラやデジタルカメラのゴースト防止に好適な撮像光学系に関するものである。
【０００２】
【従来の技術】
撮像光学系においては、様々な目的のために光学系内に平行光束部が設けられている。例えば、この平行光束部にアフォーカル光学系を挿入しレンズ系全体の焦点距離を変化させる場合もあるが、分割プリズムを挿入し光束の一部をファインダ系に導いたり、オートフォーカスのための測距光学系に導いたり、別の結像系に利用したりすることも行われている。さらに、フィルタなど画像に特殊な効果を与える光学部材を挿入する場合もある。
【０００３】
このように平行光束部に、フィルタやプリズムなどの光軸に対して略直交する平面を有する光学部材（以下、これを平面部材と称する）を挿入する場合には、撮像素子の表面と平面部材の平面との反射によるゴーストが問題となる。ゴーストは、撮像面において結像された光の一部が、撮像面を第１反射面として撮像光学系に戻され、撮像光学系内で１回ないしそれ以上反射されて再び撮像面に達するために発生するものである。特に、ＣＣＤなどの撮像素子はフィルム等に比べ表面反射率が高いので、素子表面からの反射光が強くなりやすい。
【０００４】
図５は、ゴーストの発生を説明するための模式図である。図５において模式的に表された撮像光学系はレンズＬ１〜Ｌ３を備え、光束を撮像素子の撮像面１上の結像位置Ｐに集束させる。また、このレンズＬ２とレンズＬ３の間の平行光束部Ｃに、平面部材としてハーフプリズム２が配設され、光束はこのハーフプリズム２により第１撮像面側と第２撮像面側に分割される。
【０００５】
ここで、問題となるゴーストは、光束平行部Ｃ中に光軸に対して略直交する平面が存在する場合、撮像面１からの反射光束がこの平面で反射した後、全く同じ経路を通って再び撮像面１に到達することにより生じる。例えば、ｌ１方向に進む主光線は、撮像素子へ入射した後、一部が反射され、ｌ２、ｌ３方向に進み、光束平行部Ｃに配された光軸に対して略直交する平面である、ハーフプリズム２の第１撮像面側平面３や物体側平面４でさらにその一部が再反射され、全く同じ経路を逆行してｌ４、ｌ５方向に進み再び撮像面１に達する。
【０００６】
図６は、この場合に生じる、撮像面１上に結像されるゴーストの様子を示している。像とゴーストの位置を示すため、水平方向および垂直方向の中心に水平軸Ｈおよび垂直軸Ｖを記載している。図６（ａ）は、撮像面１の中心位置に光量の大きな対象を撮影する場合である。この場合、この対象の像Ｐｃは撮像面の中心位置に結像され、そのゴーストＧｃも対象とほぼ同等の形状で撮像面中心付近に発生する。図６（ｂ）は、撮像面１の中心から離れた位置に光量の大きな対象を撮影する場合である。この場合、この対象の像Ｐｄは中心から離れた位置に結像され、そのゴーストＧｄは対象とほぼ同等の形状で撮像面中心点に関して対象の像Ｐｄと点対称となる位置に発生する。
【０００７】
ＣＣＤなどの撮像素子を用い、光束平行部Ｃに光軸に対して略直交する平面が存在する場合、いずれの表面も反射率が高いので、光量の大きな対象を撮影した場合に上記のように発生するゴーストはかなり光量が大きくなってしまい、そのままでは表示画像内に大きな欠陥部が存在することになりかねない。
【０００８】
従来、ゴースト防止の方法としては、例えば平面部材に反射防止コートを付加する方法が知られている。特開2000−36917号公報には平面フィルタの表面に反射防止コートを施すことにより反射光を減らす手法が記載されている。しかしこの手法では、0.1〜0.2％程度の反射光は残ってしまうため、車のライトや太陽光など光量の大きい対象を撮影する場合には反射光も強くなり、無視できないゴーストとなって画面に現れる。したがって、ビデオカメラやデジタルカメラにおいて要求される性能が高度になると、この程度の残存反射率であっても許容し難いものとなる。
そのため、従来、高性能を要求される結像光学系においてはゴースト防止のために実際には、光軸に対して略直交する平面を有する光学部材は、中心光束が光軸と略平行となる光束域に配置し難いという設計上の制約となっていた。
【０００９】
【発明が解決しようとする課題】
ゴースト防止の別の方法として、平面部材の表面を非平面形状にする方法も提案されている。例えば、上記公報や特開2000−249820号公報には単体の板状フィルタを湾曲形状に形成することが記載されている。しかしこのようなフィルタは加工も難しく、また、新規に作成する必要があるので既存のフィルタを使用する場合に比ベコストがかかるという問題がある。
【００１０】
本発明はこのような事情に鑑みなされたもので、撮像素子の前段の、中心光束が光軸と略平行となる光束域に、光軸に対して略直交する平面を有する光学部材を配置する場合にも、ゴーストを防止し得るような撮像光学系を、簡易な構成により、かつ安価に提供することを目的とするものである。
【００１１】
【課題を解決するための手段】
本発明の撮像光学系は、撮像素子の前段の、中心光束が光軸と略平行となる光束域に配置される、該光軸に対して略直交する平面を少なくとも１つ有する光学部材を備えた撮像光学系において、この光学部材の少なくとも１つの前記平面にこの光学部材と光学的に同等の硝材を用いたゴースト防止部材が密接され該光学部材と該ゴースト防止部材とで密接体が構成され、該ゴースト防止部材は一方の面が前記密接面とされ他方の面が曲面とされていることを特徴とするものである。
【００１２】
前記ゴースト防止部材の前記曲面は、曲率半径の大きなレンズ面とされていることが好ましい。また、前記ゴースト防止部材が下記条件式（１）を満足するように構成されていることが好ましい。
７＜｜Ｒ｜／ｆｍｒ＜20    ……（１）
ここで、ｆｍｒ：密接体より像側に位置するレンズ全体の焦点距離
Ｒ：ゴースト防止部材のレンズ面の曲率半径
【００１３】
また、前記ゴースト防止部材が前記光学部材に接合されていることが好ましい。また、前記ゴースト防止部材が下記条件式（２）を満足するように構成されていることが好ましい。
1.5＜ｎｄ＜1.6    ……（２）
ここで、ｎｄ：ゴースト防止部材のｄ線における屈折率
【００１４】
また、前記光学部材の両面が光軸に対して略直交する平面とされている場合に、該両平面に各々前記ゴースト防止部材が密接されていてもよい。
【００１５】
さらに、前記光学部材の前記両平面に、他方の面が曲率半径の大きなレンズ面とされた前記ゴースト防止部材が各々密接され、これらの両ゴースト防止部材および前記光学部材からなる前記密接体の全体の屈折力が略ゼロになるように前記両ゴースト防止部材のレンズ面の曲率半径が設定されていることが好ましい。
【００１６】
また、前記光学部材がハーフプリズムとされ、このハーフプリズムにより分割される光束の入射側平面および複数の射出側平面に、各々前記ゴースト防止部材が密接されていてもよい。
【００１７】
なお、上記「密接」とは、例えば、両側または片側から押圧されていたり接着剤を用いて接合されることにより、空気層を介さずに当接されている状態のことを表している。
【００１８】
また、上記「密接体」とは、密接された複数の部材全体を表すものである。
【００１９】
また、上記「光学的に同等」とは、少なくとも屈折率が略等しいことを表しているが、さらに、アッベ数などの他の光学定数も略等しいことが望ましい。
【００２０】
また、上記「曲率半径の大きなレンズ面」とは、収差が発生することなく、平行光束に影響を与えない程度のパワーを有する面であることを表している。
【００２１】
【発明の実施の形態】
以下、本発明の具体的な実施形態について図面を参照しつつ説明する。図１に示す実施形態（実施例１のものを代表させて示している）の撮像光学系は、模式的に表されたレンズＬ１〜Ｌ３により光束を撮像素子の撮像面１上の結像位置Ｐに集束させるものである。このレンズＬ２とレンズＬ３の間の、中心光束が光軸と略平行となる平行光束部Ｃにハーフプリズム２が配設され、光束はこのハーフプリズム２により第１撮像面側と第２撮像面側に分割されて出射される。ここで、このハーフプリズム２は、物体側と第１撮像面側の両面３、４が光軸に対して略直交する平面とされた光学部材（平面部材）である。この平面部材の両平面３、４には各々ゴースト防止部材５、６が密接され、この平面部材と両ゴースト防止部材５、６とで密接体を構成している。このゴースト防止部材５、６は、各々、この平面部材と光学的に同等の硝材を材料とされ、密接面と反対側の面は曲率半径の大きなレンズ面とされている。
【００２２】
ここで、上記「密接」とは、前述したように、両側または片側から押圧されていたり接着剤を用いて接合されることにより、空気層を介さずに当接されている状態のことを表しており、接合を含む概念である。また、上記「曲率半径の大きなレンズ面」とは、収差が発生することなく、平行光束に影響を与えない程度のパワーを有する面であることを表しているが、このような影響を与えない程度のパワーは、光学系の性能や各面の曲率によって変化するものであって、必ずしも具体的数値として表されるものではない。
【００２３】
このような構成によるゴースト防止効果について、ゴースト防止部材５を代表として説明する。図１に示される撮像光学系において、撮像面１からの反射光束は、例えば、ｌ１方向に進む主光線は、撮像素子へ入射した後、一部が反射され、ｌ２、ｌ３方向に進み、ゴースト防止部材５のレンズ面でさらにその一部が再反射される。この面はレンズ面（図１においては凸面）であるので、主光線はｌ４、ｌ５方向に進む。すなわち、この主光線は平面部材の第１撮像面側平面３で再反射されるのでなくゴースト防止部材５のレンズ面で再反射されるので、撮像面１からレンズ面へと向かう主光線と全く同じ経路を逆行することはない。したがって、たとえこれらの再反射光の一部が再び撮像面１に到達するとしても、生じる光像は画像に影響を与えにくい。
【００２４】
図２は、この場合に生じる、撮像面１上に現れる光像の様子を示している。像と光像の位置を示すため、水平方向および垂直方向の中心に水平軸Ｈおよび垂直軸Ｖを記載している。図２（ａ）は、撮像面１の中心位置に光量の大きな対象を撮影する場合である。この場合、この対象の像Ｐａは撮像面中心に結像され、それによる光像Ｄａも撮像面中心付近に発生する。しかしながら、再反射光は撮像面１からレンズ面へと向かう主光線と全く同じ経路を通っているわけではないので、対象の像Ｐａよりかなり拡散されて広範囲にわたる拡散光像Ｄａとして撮像面１上に現れる。図２（ｂ）は、撮像面１の中心から離れた位置に光量の大きな対象を撮影する場合である。この場合、この対象の像Ｐｂは中心から離れた位置に結像され、それによる光像Ｄｂは撮像面中心点に関して対象の像Ｐｂと点対称となる位置付近に現れる。しかしながら、再反射光は撮像面１からレンズ面へと向かう主光線と全く同じ経路を通っているわけではないので、対象の像Ｐｂよりかなり拡散されて広範囲にわたる拡散光像Ｄｂとして撮像面１上に現れる。
【００２５】
このように本実施形態によれば、平行光束部Ｃ中に配置される平面部材を備えた撮像光学系において、平面部材の平面３にゴースト防止部材５が密接されているので、撮像面１からの反射光束がゴースト防止部材５のレンズ面で再反射された場合にもこの光束は撮像面１からレンズ面へと向かう反射光束と全く同じ経路を逆行することはない。したがって、たとえこの再反射された光の一部が再び撮像面１に入射されたとしても、画面上では対象物とほぼ同等の形状にはならず、画面上で認識できないほどの広範囲に広がる拡散光像とすることができる。また、ゴースト防止部材５はこの平面部材と光学的に同等の硝材を材料とされているので、平面部材の平面３とゴースト防止部材５との密接面での反射を考慮する必要がない。
【００２６】
なお、図１においてゴースト防止部材５のレンズ面は凸面とされているが、このレンズ面は凹面とされていてもよい。この場合にも、再反射光は全く同じ経路を通って撮像面１に戻されるわけではないので、撮像面上では対象物とほぼ同等の形状になることはなく、画面上で認識できないほどの広範囲に広がる拡散光像とすることができる。
【００２７】
同様のゴースト防止効果を得るために、前述した公報記載の従来例のように平面部材の平面部に直接曲率を付けることも1つの方法ではある。しかしながら、フィルタやプリズムといった光学部材へのこのような加工は難しく、また、軸ずれ調整も難しい。さらに、新規にこのような部材を作成するには、既存のフィルタやプリズムを使用する場合に比べコストがかかる。本実施形態によれば、片面が平面のレンズを既存の平面部材に密接させるという簡易な構成により、安価にゴーストを防止することができるので有利である。
【００２８】
なお、光軸に対して略直交する平面を複数有する光学部材には、少なくとも１つの平面に対しゴースト防止部材を密接させることによっても、そのレンズ面で反射される光が全く同じ経路を通って撮像面１に戻ることはないので、ゴースト防止効果を得ることができる。この面は平面部材の物体側の平面であってもよい。
【００２９】
しかし望ましくは、平面部材の、光軸に対して略直交するいずれの平面にもゴースト防止部材を密接させ、いずれの面で反射される光も全く同じ経路を通って撮像面１に戻ることがないように構成することが有効である。図１において各ゴースト防止部材５、６のレンズ面は前述したように、平行光束に影響を与えない程度のパワーを有する、曲率半径の大きなレンズ面とされているので、撮像面１からの反射光束のうち第１撮像面側に配されたゴースト防止部材５を透過した光束は略平行光束として平面部材を透過する。したがって、本実施形態のように平面部材の物体側平面４にもゴースト防止部材６が密接され、撮像面１からの反射光束のうち平面部材を透過した光束がゴースト防止部材６のレンズ面において再反射されるように構成されていることがゴースト防止のためには好ましい。
【００３０】
また、ゴースト防止部材５、６の平面でない側の面はレンズ面に限られず単なる曲面とされていてもよい。この場合にもゴースト防止部材５、６の曲面で再反射される光束は同じ経路を通ることが殆どないので、たとえこれらの再反射光の一部が再び撮像面１に到達するとしても、画面上では対象物とほぼ同等の形状にはならず、ゴースト防止効果を有する。
【００３１】
しかし、望ましくは、ゴースト防止部材５、６の平面でない側の面は、平行光束を再反射する場合にも同じ光路で逆行することがなく、かつ収差を発生させることなく平行光束に影響を与えない程度のパワーを有する、曲率半径の大きなレンズ面とされている方が設計、製造の上からも好ましい。
【００３２】
より望ましくは、ゴースト防止部材５、６は下記条件式（１）を満足するように構成する。
７＜｜Ｒ｜／ｆｍｒ＜20    ……（１）
ここで、ｆｍｒ：密接体より像側に位置するレンズ全体の焦点距離
Ｒ：ゴースト防止部材のレンズ面の曲率半径
【００３３】
上記条件式（１）は、ゴースト防止部材５、６のレンズ面の曲率半径を、密接体より像側に位置するレンズ全体（図１においてはレンズＬ３）の焦点距離との関係で規定する条件式であり、ゴースト防止部材５、６のレンズ面を、ゴーストとなるおそれのある再反射光を有効に散乱しつつ組み込まれている本体レンズの光学的な性能に影響を与えないような曲率半径とするための数値限定である。この上限値を越えるとゴーストとなるおそれのある再反射光が有効に散乱されなくなり、この下限値を越えると本体レンズの光学性能の劣化が無視できないほど大きくなる。
【００３４】
また、ゴースト防止部材５、６は相対する平面３、４と接着剤を用いて容易に接着され得る。なお、接合されるゴースト防止部材５、６は、下記条件式（２）を満足するように構成されていることが好ましい。
1.5＜ｎｄ＜1.6    ……（２）
ここで、ｎｄ：ゴースト防止部材のｄ線における屈折率
【００３５】
上記条件式（２）は、ゴースト防止部材５、６のｄ線における屈折率を規定する条件式であり、接合面での反射によるゴーストの発生を抑えるための数値限定である。一般に接着剤の屈折率はこの範囲にあるため、ゴースト防止部材５、６に使用する硝材もこの範囲のものを使用することが望ましい。この数値範囲を外れると、接着剤に対する平面部材とゴースト防止部材５、６との屈折率の差が大きくなりすぎ接合面での反射光が多くなり、目立つゴーストが若干発生するおそれがある。
【００３６】
なお、本発明の撮像光学系としては種々の態様の変更が可能であり、例えば撮像光学系を構成するレンズの形状、およびレンズの枚数は適宜選択し得る。また、平面部材はハーフプリズム２に限られるものではなく、平行光束中に配される、光軸に対して略直交する平面を少なくとも１つ有する任意の光学部材に、ゴースト防止部材を密接させて本実施形態と同様の作用効果を得ることができる。
【００３７】
【実施例】
<実施例１>
この実施例１に係る撮像光学系は、前述したように図１に示す如き構成とされている。すなわちこの撮像光学系において、平行光束部Ｃに、物体側と第１撮像面側の両面が光軸に対して略直交する平面３、４とされたハーフプリズム２が配設され、このハーフプリズム２の両平面３、４には各々ゴースト防止部材５、６が接合されている。このゴースト防止部材５、６は、このハーフプリズム２と光学的に同等の硝材を材料とされ、接合面と反対側の面は曲率半径の大きなレンズ面とされている。
【００３８】
このような構成により、撮像素子へ入射し反射され、ゴースト防止部材５、６のレンズ面で再反射される光束は、平行光束部Ｃにおいて全く同じ経路を逆行することはない。したがって、たとえこれらの再反射光の一部が再び撮像面１に到達するとしても、撮像面１上では対象の像よりかなり広範囲に拡散されるため、光量の大きい対象を撮影する場合にもゴーストを防止することができる。
【００３９】
さらに、本実施例において、ゴースト防止部材５、６は同一形状の平凸レンズとされている。このように同一形状の部材を用いることにより、部材製造コストが低減される。ただし、同一形状の部材を用いる場合には、レンズ面の曲率が大きくなりすぎると密接体全体で光学的なパワーを有することになり平行光束部Ｃの平行性が保たれなくなってしまうので、レンズ面の曲率半径を適切に設定することが好ましい。
【００４０】
<実施例２>
この実施例２に係る撮像光学系は、図３に示す如き構成とされている。この撮像光学系の構成は図示されるように実施例１のものと略同様とされているので、重複する部分についての説明は省略する。
【００４１】
実施例２において、ゴースト防止部材１５の形状が平凹レンズとされている点が異なっている。図２には、この平凹レンズによる、撮像面１からの反射光束の主光線の進行方向の一例を、方向ｌ１１〜ｌ１５として、実施例１における主光線の進行方向ｌ１〜ｌ５と略同様に示している。
【００４２】
また、ハーフプリズム２の両平面３、４に密接されるゴースト防止部材１５および１６の各レンズ面の曲率半径は、これらの部材とハーフプリズム２とで構成された密接体の全体の屈折力が略ゼロになるように設定されている。このように構成されていることにより、撮像光学系全体としてみたときに、この密接体を配することによる光学系全体の光学性能の変化を考慮する必要がなくなるので、設計、製造が容易になる。
【００４３】
なお、本実施例のようにハーフプリズム２の両平面３、４に、密接体の全体の屈折力が略ゼロになるように設定されたゴースト防止部材１５、１６が密接される場合、そのレンズ面は、本実施例のように物体側のゴースト防止部材１６が平凸レンズからなり、第１撮像面側のゴースト防止部材１５が平凹レンズからなるように構成されていてもよいし、逆に物体側のゴースト防止部材１６が平凹レンズからなり、第１撮像面側のゴースト防止部材１５が平凸レンズからなるように構成されていても構わない。
【００４４】
<実施例３>
この実施例３に係る撮像光学系は、図４に示す如き構成とされている。この撮像光学系の構成は、図示されるように、ハーフプリズム２を透過して第１撮像面１に至る構成は実施例１のものと略同様とされているので、重複する部分についての説明は省略する。
【００４５】
実施例３において、ハーフプリズム２の作用により分離され第２撮像面７に至る光束が射出される平面８にも、ゴースト防止部材９が接合されている点が実施例１と異なっている。この平面８も第１撮像面側射出面３と同様に光軸に対して略直交する平面である。ハーフプリズム２から第２撮像面側に射出された平行光束は、レンズＬ４により撮像素子の撮像面７上の結像位置Ｐ´に集束される。このレンズＬ４もレンズＬ３と同様に模式的に表されたものである。また、ゴースト防止部材９もゴースト防止部材５、６と同様に、このハーフプリズム２と光学的に同等の硝材を材料とされ、接合面と反対側の面は曲率半径の大きなレンズ面とされている。
【００４６】
このようにハーフプリズム２には、ハーフプリズム２により分割される光束の入射側平面４および複数の射出側平面３、８に、各々ゴースト防止部材６、５、９が密接されている。したがって、第２撮像面側においても、第１撮像面側と同様に、撮像面７からの反射光束がゴースト防止部材６、９のレンズ面で再反射された場合にも、撮像面７からゴースト防止部材９のレンズ面へと向かう光束と全く同じ経路を逆行することはない。したがって、たとえこれらの再反射光の一部が再び撮像面７に到達するとしても、撮像面７上では対象の像よりかなり広範囲に拡散されるため、光量の大きい対象を撮影する場合にもゴーストを防止することができる。なお、図４には、第２撮像面側における、撮像面７からの反射光束の主光線の進行方向の一例を、方向ｌ６〜ｌ１０として第１撮像面側の主光線の進行方向ｌ１〜ｌ５と同様に示している。
【００４７】
本実施例において、ゴースト防止部材５、６、９は同一形状のレンズとすることが可能である。このように同一形状の部材を用いることにより、部材製造コストが低減される。ただし同一形状の部材を用いる場合には、前述したとおり、レンズ面の曲率半径を適切に設定することが好ましい。
【００４８】
【発明の効果】
以上説明したように本発明の撮像光学系によれば、平行光束部に配置される平面部材に、他方の面が曲面とされこの平面部材と光学的に同等の硝材を用いたゴースト防止部材が密接されていることにより、撮像素子の表面で反射されゴースト防止部材のレンズ面で再反射される光束は、たとえその一部が再び撮像面に到達するとしても対象の像よりかなり広範囲に拡散される。したがって本発明の撮像光学系によれば、ゴースト防止部材を既存の平面部材に密接させるという簡易な構成により、安価に、ゴーストを防止し得る撮像光学系を提供することができる。
【図面の簡単な説明】
【図１】本発明の実施例１に係る撮像光学系の構成図
【図２】実施例１の撮像光学系により撮像素子上に現れる拡散光像を示す図
【図３】本発明の実施例２に係る撮像光学系の構成図
【図４】本発明の実施例３に係る撮像光学系の構成図
【図５】ゴーストの発生を説明するための図
【図６】図５の撮像光学系により撮像素子上に発生するゴーストを示す図
【符号の説明】
Ｌ１〜Ｌ４    レンズ
１、７    撮像面
２    ハーフプリズム（平面部材）
３、４、８    光軸に対し略直交する平面
５、６、９、１５、１６    ゴースト防止部材
Ｘ    光軸
Ｃ    平行光束部
Ｐ、Ｐ´、Ｐａ、Ｐｂ、Ｐｃ、Ｐｄ    結像位置
Ｄａ、Ｄｂ    拡散光像
Ｇｃ、Ｇｄ    ゴースト
ｌ１〜ｌ１５    光束進行方向
【図１】
0004628618.tif 000002
【図２】
0004628618.tif 000003
【図３】
0004628618.tif 000004
【図４】
0004628618.tif 000005
【図５】
0004628618.tif 000006
【図６】
0004628618.tif 000007